(57)【特許請求の範囲】
【請求項１】
外ケースに内ケースを嵌めこんでケース側面に間隙を設けて密閉し、容器開口部付近に設けた内ケースの口縁下部外側と外ケース口縁下部内側の空間をドーナツ状のアンプル収容室とし、同アンプル収容室内の破割性アンプルの中及び上記間隙内に混合時に化学発光を呈する２種類の薬液をそれぞれ充填した容器であって、前記容器は互いに重ね合わせる事ができることを特徴とする光る容器。
【請求項２】
破割性アンプルを螺旋状、一部切欠したリング状又は弧状とし、これらの１本又は２本以上をアンプル収容室に収容した請求項１記載の光る容器。
【請求項３】
ケース側面に形成された間隙を保持するため、外ケース壁面と内ケース壁面を一部で接触させて、間隙の支持部としてなる請求項１記載の光る容器。
【請求項４】
支持部の形状を模様や文字を表現するものとした請求項３記載の光る容器。
【請求項５】
外ケースの表面に、模様や文字の入ったシールを貼着又は印刷した請求項１、３記載の光る容器。
【発明の詳細な説明】
【０００１】
【発明が属する技術分野】
この発明は、コップ、菓子入れ、花器等に幅広く利用できる光る容器に関するものである。
【０００２】
【従来の技術】
従来の光るコップは、外ケースの底と内ケースの底の間にアンプルを入れ、両ケースの間隙とアンプルの中に、混合時に化学発光を呈する２種類の薬液をそれぞれ充填した構造のものであったり、ケースの側壁面の間隙に縦方向に複数のアンプルを収容した構造のものが知られている。いずれのコップも直線状アンプルを使用している為、その収容場所にも制約が生じ以下のような欠点を有していた。
１、コップの底部にアンプルを入れる構造のものは、収容するアンプルの数に限度があり、又アンプルの直径の大きなものは使用しにくい為、アンプルに入れる液量が少なくなり、化学発光用２種類の薬液の比率が最適の条件に設定しにくい。又、この構造では、アンプルを外的力で割破しにくいし、コップの側壁に入っている他方の薬液との混合が容易ではなかった。
２、コップの側壁に縦方向にアンプルを収容する構造では、アンプル収容室が内側又は外側に突出し、コップの形状を損なうと共に、その部分の厚みが大きくなり、コップ同士を重ね合わせる事が困難である為かさばってしまう。また発光させる時、コップの側壁面をアンプルの数だけ押し曲げて、ガラスアンプルを破割する必要があり、わずらわしいものであった。さらに縦に配列されたアンプル収容室の部分のみ発光液が多くなる為、その部分のみが強く光り、コップ全体を均一に光らせることが困難であった。
【０００３】
【発明が解決しようとする課題】
上記に述べたような従来の問題点を解決すると共に、曲線状アンプルを使用する事により容器の形態を損なわないものを提供するものである。
【０００４】
【課題を解決するための手段】
外ケース及び内ケースは同一素材が好ましい。両ケースは可撓性を有し、光透過性プラスチックを使用する。化学発光の薬液に対しては、ポリエチレン、ポリプロピレン等が最適である。内ケースは必ずしも透明でなくてもよい。不透明の場合は特に白色にすると発光した光が白色ケースに反射し容器の外側に放出されるので、より明るくなる。本発明の化学発光を呈する２種類の薬液の代表的なものとしては、一方が蛍光液であり他方が酸化液である。蛍光液の組成は蛍光物質、修酸エステル、フタル酸ジブチルからなり、酸化液は過酸化水素、触媒、フタル酸ジメチル、ｔ−ブタノールである。ただし、この成分に限定されるものではない。破割性アンプルの素材としては、プラスチックやガラスがある。特にガラスを使用すれば破割時、破割部分が細かい片となり中に充填された発光液が出易い。破割性アンプルは図８、図９のような形状が代表的なものであるが、これらの形状に限定されるものではない。さらにＬ形、Ｕ形等も含まれる。本発明は直線状以外の曲線や折り曲がった形状のアンプルを使用することに特長がある。つまり容器の形状に添った形のアンプルを使用するものである。ガラス管の厚みは０．１ｍｍ〜０．５ｍｍのものが最適である。図８のようなアンプルは、ガラス管を螺旋状に成形し、これをカットした後、一方の開口部を熱溶封し、薬液を充填した後、他方の開口部を封じる方法や、直管の一方の開口部を熱溶封し、全体を７００℃〜８００℃で加熱し、図９のような形状に成形した後、薬液を充填し、溶封する方法等がある。蛍光液と酸化液の液量比は５：１〜１：１が最適である。例えば、コップの壁面を光らせる場合は、壁の面積が広いため、壁面の部分は蛍光液を入れ、アンプルには酸化液を充填した方が比率上最適である。アンプル収容室を多数設ける方法もあるが、全体の形状を損なうことになり、またそれにともないアンプルも多数必要となる等コストの面からも好ましくない。円周状にアンプル収容室を設けた場合、例えば、コップの外周が約φ８０ｍｍの場合、図２のガラスの全長は約２５０ｍｍとなる。従来の直管を使用するコップでは、８０ｍｍの長さのものが３本必要となる。さらに８０ｍｍの直管はコップの側壁部のみしか収容する場所がない。液比の制約から、多数の直管を収容すると、発光させる時、その直管の部分をいちいち押し、又は曲げていかなければならない。蛍光液と酸化液が反応すると、炭酸ガスが発生する。このガスにより間隙内の圧力が上がる。従って容器の形状は円筒状が好ましいが、この形状に限定するものではない。最も簡単な構造は、コップ状ケースの中にそれより少し小さなコップ状ケースを入れたものである。ガスにより内圧が上がると容器が変形し、ふくらむと液がその部分にたまり、発光面が小さくなる。そこで容器の肉厚を厚くしたり、又は材質を硬いものにする方法もあるが、容器を手で押しつぶして、アンプルを破割して、蛍光液と酸化液を混合させるものであるため、肉厚や硬質化には限界がある。そこで、内ケースの底部と外ケースの底部の一部分を超音波等の手段にて接着し、一体化させたり、さらに側壁面の一部分を同様に溶着することにより、ふくらみを防止するものである。本発明の容器の中に、他の容器を���れたり、本発明の容器を例えば多面カットした透光性を有する他の容器に入れる等は本発明の容器を使用する以上、本発明に属する。
【０００５】
【実施例１】
コップ状外ケース１の開口部を図２に示すように直径を８０ｍｍと大きくし、その部分の垂直な壁の高さを１８ｍｍとする。内ケース２も外ケース１と類似した形状とし、外ケースの内壁と内ケースの外壁の間隙を１ｍｍにする。内ケースの開口部分の垂直の壁の高さを１０ｍｍと短くする事により、両ケースを嵌め合わせた時、内ケース２の外側円周にドーナツ状のアンプル収容室３が生じる。外ケース１の口縁と内ケース２の口縁は接触する構造とし、且つ外ケース１と内ケース２の底部も接触する構造とする。両ケースともポリプロピレンで成形する。まず外ケース１の開口部内に、内壁面に添って外径φ５ｍｍの半リング状ガラスアンプル４を２本セットする。このガラスアンプルには酸化液が合わせて２．４ｃｃ入っている。外ケース１内に蛍光液を８ｃｃ入れる。この外ケース１に、内ケース２を挿入すると、蛍光液が間隙内をアンプル収容室近くまでおしあげられる。この状態で、両ケースの口縁部を熱溶着して一体化し、密封する。この形状のコップは底の直径が５０ｍｍ、開口部の直径が８０ｍｍの形状であり、コップの中にコップを多数はめこむことができる。なお、内ケース２の４ヶ所に１ｍｍの凸部を設けて、その凸部を外ケースの内壁面に接触させる。その凸部が支持部５である。このコップに、ビール等の飲料を入れ、乾杯時に、口縁部を手で楕円状に変形させると、アンプル収容室も変形し、中のガラスアンプルが割れる。充填された酸化液が出て下に流れて、蛍光液と混合し、化学反応がスタートして発光が始まる。発光した光は、容器内及び容器外に放出される。なお、発光時期は飲料を入れる前に行ってもよい。
【０００６】
【実施例２】
図４、図５に示すように、コップの縦方向に仕切壁となる支持部５を設けて、アンプル収容室３及び間隙６を２つに分割して２つの発光室とし、それぞれのアンプル内及び間隙内に酸化液、蛍光液を充填し、かつそれぞれの薬液が混合時、一方が青色の光を他方は橙色の光を出す組成とした。
【０００７】
【実施例３】
図６に示すように、コップの中央に仕切壁となる支持部５を円周状に設け、上下に分割された間隙６に、それぞれリング状のアンプル収容室３を設け、実施例２と同様に、それぞれに酸化液、蛍光液を充填する。使用時は、それぞれのアンプル収容室３を手で変形させ、２液を混合させると、上下２色の色ちがいの光が放出される。
【０００８】
【実施例４】
図７に示すように、文字の形に支持部５を設けたものである。この容器を発光させると、その文字の部分には発光液が無い為、その部分は光らず、文字が明確に表示できる。なお、模様等を設けても同様の効果がある。
【０００９】
【発明の効果】
本発明によれば、容器の開口部付近を手で変形させるだけで、アンプルが割れ２種類の液が混合するため、その操作が簡便である。また、容器の形状に添った曲線状アンプルの配置により、容器の機能を損なうことなく、重ね合わせることも出来、且つ容器全体を均一に発光させることが出来る。リング状アンプルの場合は直径の３倍の長さを確保できる為、発光液の混合比率を最適に設定できる。特に酸化液をアンプルに充填した場合、破割時その液の比重が蛍光液よりも重いため、間隙内の蛍光液中を徐々に下降しつつ発光する効果がある。
【図面の簡単な説明】
【図１】本発明の実施例１のコップの正面図である。
【図２】図１のＡ−Ａ断面図である。
【図３】図１のＢ−Ｂ線端面図である。
【図４】実施例２のコップの正面図である。
【図５】図４のＣ−Ｃ線端面図である。
【図６】実施例３の断面説明図である。
【図７】実施例４のコップの正面図である。
【図８】本発明の破割性アンプルの図である。
【図９】本発明の破割性アンプルの図である。
【符号の説明】
１    外ケース
２    内ケース
３    アンプル収容室
４    破割性アンプル
５    支持部
６    間隙
７    化学発光を呈する一方の薬液
８    化学発光を呈する他方の薬液
【図１】
0003768892.tif 000002
【図２】
0003768892.tif 000003
【図３】
0003768892.tif 000004
【図４】
0003768892.tif 000005
【図５】
0003768892.tif 000006
【図６】
0003768892.tif 000007
【図７】
0003768892.tif 000008
【図８】
0003768892.tif 000009
【図９】
0003768892.tif 000010